(57)【要約】【課題】  リップシンクがずれなく使い勝手のよいデジタル放送対応の記録再生装置を提供することを目的とする。【解決手段】  上記目的を達成するために、デジタル放送データを受信する受信部と、該受信部により受信された該デジタル放送データに含まれるビデオ信号及びオーディオ信号を生成するビデオ/オーディオ信号生成部と、該ビデオ/オーディオ信号生成部から入力された該ビデオ信号の画像処理を行う画像処理部と、該ビデオ/オーディオ信号生成部により生成された該オーディオ信号を入力し、該入力されたオーディオ信号と該画像処理部により処理された該ビデオ信号との時間によるずれを調整する遅延部とを備えるように構成すればよい。【選択図】  図１
2006086552.tif 000002
【特許請求の範囲】
【請求項１】
デジタル放送データを受信する受信部と、
該受信部により受信された該デジタル放送データに含まれるビデオ信号及びオーディオ信号を生成するビデオ/オーディオ信号生成部と、
該ビデオ/オーディオ信号生成部から入力された該ビデオ信号の画像処理を行う画像処理部と、
該ビデオ/オーディオ信号生成部により生成された該オーディオ信号を入力し、該入力されたオーディオ信号と該画像処理部により処理された該ビデオ信号との時間によるずれを調整する遅延部とを備えることを特徴とする記録再生装置。
【請求項２】
請求項１記載の記録再生装置において、
前記受信部により受信された前記デジタル放送データを記憶する第１の記憶部及び第２の記憶部とを有し、
該第１の記憶部により記憶された該デジタル放送データを該第２の記憶部に記憶する際に、  前記遅延部を介さずに記憶するように制御する制御部を有することを特徴とする記録再生装置。
【請求項３】
請求項２記載の記録再生装置において、
前記第１の記憶部がＨＤＤであり、前記第２の記憶部がＤＶＤであることを特徴とする記録再生装置。
【請求項４】
請求項１乃至３記載の記録再生装置において、
前記画像処理部により処理された前記ビデオ信号を再生するビデオ再生部と、
前記像処理部により処理された前記オーディオ信号を再生するオーディオ再生部とを備えたことを特徴とする記録再生装置。
【請求項５】
請求項４記載の記録再生装置において、
前記制御部は、前記第１の記憶部又は前記第２の記憶部により記憶されたオーディオデジタルデータを前記遅延部を介して前記オーディオ再生部に出力するように制御することを特徴とする記録再生装置。
【請求項６】
請求項１乃至５記載の記録再生装置において、
前記遅延部により遅延された出力信号を所定の伝送フォーマットに変換する伝送フォーマット変換部とを備えることを特徴とする記録再生装置。
【請求項７】
請求項２乃至６記載の記録再生装置において、
前記画像処理部により処理された前記ビデオ信号を入力し、該入力したビデオ信号を符号化するとともに前記第１又は第２の記憶部に記憶されたデータを復号化する符号/復号化部を備え、該符号/復号化部により復号化されて出力されるオーディオ信号を前記遅延部に入力することを特徴とする記録再生装置。
【請求項８】
請求項７記載の記録再生装置において、
前記遅延部により遅延された出力信号を所定の伝送フォーマットに変換する伝送フォーマット変換部とを備えることを特徴とする記録再生装置。
【請求項９】
デジタル放送を受信するデジタルチューナと、
該デジタルチューナで選局復調されたＴＳ形式の信号から所望番組を分離して復号し、
該所望番組のビデオ信号とオーディオ信号を生成するデコーダと、
該デコーダから入力されたビデオ信号の画像処理を行うスケーリングフィルタと、
該スケーシングフィルタから出力されたビデオ信号と該デコーダから出力されたオーディオ信号をＰＳ形式の信号で記録する記録部と、
該記録部により記録されたビデオ信号及びオーディオ信号を複合化する復号化部と、
該復号化部から出力されたデジタルオーディオ信号を所定時間遅延させる遅延部とを備え、
該遅延部によるデジタルオーディオ信号の遅延時間が、該スケーリングフィルタにより処理された該ビデオ信号の処理時間に略該当することを特徴とする記録再生装置。
【請求項１０】
請求項９記載の記録再生装置において、
前記遅延部の出力に接続される、前記遅延部で所定時間遅延されたデジタルオーディオ信号をデジタルオーディオ機器間のデジタルインターフェース用に規定された伝送フォーマットに変換する伝送フォーマット変換部を備え、該伝送フォーマット変換部で変換された伝送フォーマットのデジタルオーディオ信号を出力する出力部を備えることを特徴とする記録再生装置。
【請求項１１】
デジタル放送を受信するデジタルチューナと、データを記録するＨＤＤとＤＶＤとからなる複合装置であって、
該デジタルチューナにより受信された該デジタル放送に含まれるビデオ信号及びオーディオ信号を生成するデコーダと、
該デコーダから入力された該ビデオ信号の画像処理を行うスケーリングフィルタと、
該デコーダにより生成された該オーディオ信号又は該ＨＤＤ並びに該ＤＶＤからのオーディオ信号を入力し、該入力されたオーディオ信号と該スケーリングフィルタにより処理された該ビデオ信号又は該ＨＤＤ並びに該ＤＶＤからのビデオ信号との時間によるずれを調整する遅延部とを備えることを特徴とする記録再生装置。
【発明の詳細な説明】
【技術分野】
【０００１】
本発明は、デジタル放送を受信可能な記録再生装置に関する。
【背景技術】
【０００２】
近年、デジタル放送を受信するデジタルチューナとＨＤＤとＤＶＤとからなる複合装置である記録再生装置が提案されている。このような記録再生装置として、例えば特許文献１で開示されている。特許文献１の記録再生装置は、その図１で示されるように、デジタルチューナ，ＨＤＤからのＭＰＥＧ圧縮されたトランスポートストリーム（Transport  Stream：以下、「ＴＳ」と省略する）をデコードするＭＰＥＧデコーダ（以下、「ＭＰＥＧ＿ＴＳデコーダ」と称する）と、ＤＶＤからのＭＰＥＧ圧縮されたプログラムストリーム（Program  Stream：以下、「ＰＳ」と省略する）をデコードするＭＰＥＧデコーダ（以下、「ＭＰＥＧ＿ＰＳデコーダ」と称する）との２つのＭＰＥＧデコーダを有している。そして、ＭＰＥＧ＿ＴＳデコーダとＭＰＥＧ＿ＰＳデコーダとでデコーダされたビデオ信号とオーディオ信号はそれぞれ装置の出力端子から出力される。この時、ビデオ信号とオーディオ信号との再生の時間的ずれをなくすように、つまり、リップシンクがとれるように、例えば特許文献２で開示されている技術を用いて、各ＭＰＥＧデコーダにおけるビデオとオーディオの時間ずれを補正する。
【０００３】
【特許文献１】特開２００４−１５９２２５号公報
【特許文献２】特開平７−１７７４７９号公報
【発明の開示】
【発明が解決しようとする課題】
【０００４】
しかしながら、デジタル放送では、デジタルハイビジョン放送（ＨＤ放送）やデジタル標準放送（ＳＤ放送）を放送しているため、ＨＤ放送の表示およびＶＴＲ（ＶＣＲ）、ＤＶＤレコーダ用ＮＴＳＣ出力への変換、即ちＨＤ（High  Definition）画像をＳＤ（Standard  Definition）画像であるＮＴＳＣ信号へダウンコンバートするスケーリング処理が必要となってくる。
【０００５】
そのため、例えば、ＨＤ画像をＳＤ画像に変換して録画する場合においては、記録再生装置のスケーリングフィルタには、録画したＳＤ画像をアップコンバートしてＨＤ画像で視聴できるようにする機能が必要となる。通常スケーリング処理には時間がかかるので、オーディオ信号に対してビデオ信号が遅延し、リップシンクがずれるという問題があった。
上記文献においては、こういった問題について何ら言及がされていない。また、その解決手段についても全く開示されていない。そこで、本発明は、上記問題を鑑み、ユーザにとって使い勝手がよい記録再生装置を提供することを目的とする。
【課題を解決するための手段】
【０００６】
本発明は、上記目的を達成するために、デジタル放送データを受信する受信部と、該受信部により受信された該デジタル放送データに含まれるビデオ信号及びオーディオ信号を生成するビデオ/オーディオ信号生成部と、該ビデオ/オーディオ信号生成部から入力された該ビデオ信号の画像処理を行う画像処理部と、該ビデオ/オーディオ信号生成部により生成された該オーディオ信号を入力し、該入力されたオーディオ信号と該画像処理部により処理された該ビデオ信号との時間によるずれを調整する遅延部とを備えるように構成すればよい。
【発明の効果】
【０００７】
本発明によれば、ユーザにとって使い勝手がよいデジタル放送対応の記録再生装置を提供することができる。
【発明を実施するための最良の形態】
【０００８】
以下、本発明の最良の形態について、図面を用いて詳細に説明する。なお、以下の図面において、同一の構成部については、同符号を用いる。
【実施例１】
【０００９】
図１は、第１の実施例を示す図である。デジタル地上波放送を受信するデジタルチューナ１で復調されたＨＤ信号のＴＳ信号は、ＨＤ信号をデコードするＨＬ（ハイビジョンレベル）デコーダ１０に入力される。ＨＬデコーダ１０は、後述するデマルチプレクサ１１と、ＭＰＥＧ＿ＴＳデコーダ１２と、スケーリングフィルタ１３と、ＯＳＤ回路１４，１５と、ビデオエンコーダ１６，１７とからなる。
【００１０】
ＭＰＥＧ＿ＰＳ  ＣＯＤＥＣ３０は、ビデオ/オーディオ信号をＭＰＥＧ＿ＰＳにエンコード（圧縮）するとともに、ＭＰＥＧ＿ＰＳをデコード（復号）する。また、ＭＰＥＧ＿ＰＳ  ＣＯＤＥＣ３０は、Ａ／Ｄコンバータ３３と、ＭＰＥＧ＿ＰＳエンコーダ３２と、ＭＰＥＧ＿ＰＳデコーダ３１と、ＩＤＥ  Ｉ／Ｆ３４とからなる。２４は遅延回路、２３はデジタルオーディオ信号をＩＥＣ６０９５８で規定されるデジタルインターフェースの伝送フォーマットに変換する伝送フォーマット変換器である。
【００１１】
上記構成の動作について説明する。ます、デジタル放送の再生について述べる。ＨＬデコーダ１０に入力されたＴＳ信号は、まず、デマルチプレクサ１１によって所望番組（チャンネル）のＴＳパケットが分離選択される。そして、所望番組のビデオとオーディオのＴＳ信号はそれぞれＭＰＥＧ＿ＴＳデコーダ１２でデコード（復号）される。ＭＰＥＧ＿ＴＳデコーダ１２から出力されたＨＤ画像のデジタルビデオ信号Ｖｄ１は、スケーリングフィルタ１３において、ＨＤ画像からＳＤ画像へのダウンコンバート変換やＳＤ画像からＨＤ画像へのアップコンバート変換を行うとともに拡大，縮小や所望のアスペクト比に変換する画像処理が行われる。
【００１２】
スケーリングフィルタ１３から出力されるＨＤ信号は、例えば、文字情報を付加するＯＳＤ回路１４を介してデジタルビデオ信号をアナログビデオ信号に変換するビデオエンコーダ１６に印加され、ビデオエンコーダ１６で１０８０ｉのＨＤビデオ信号とされてＶ１端子から出力される。
【００１３】
また、スケーリングフィルタ１３から出力されるＳＤ信号は、例えば、文字情報を付加するＯＳＤ回路１５を介してデジタルビデオ信号をアナログビデオ信号に変換するビデオエンコーダ１７に印加され、ビデオエンコーダ１７で４８０ｉのＳＤビデオ信号であるＮＴＳＣ信号とされてＶ２端子から出力される。Ｖ１端子、Ｖ２端子から出力された信号は、画像表示部７０に入力され、いずれか一方が選択されて画像表示部７０において表示される。なお、前記いずれか一方の信号を選択する手段は画像表示部７０が有するように構成してもよい。
【００１４】
また、スケーリングフィルタ１３には、ＭＰＥＧ＿ＰＳデコーダ３１で復号されて出力されたＳＤ画像のデジタルビデオ信号Ｖｄ3が入力され、スケーリングフィルタ１３でＨＤ信号へアップコンバートされ、また所定のスケーリング処理がなされる。スケーリングフィルタ１３から出力されるＳＤ信号はＯＳＤ回路１５，ビデオエンコーダ１７を通って、４８０ｉのＮＴＳＣ信号とされてＶ２端子から出力され、また、スケーリングフィルタ１３から出力されるＨＤ信号はＯＳＤ回路１４，ビデオエンコーダ１６を通って、１０８０ｉのＨＤビデオ信号とされてＶ１端子から出力される。Ｖ１端子、Ｖ２端子から出力された信号は、前述同様に、画像表示部７０に入力され、いずれか一方が選択されて画像表示部７０において表示される。
【００１５】
一方、ＭＰＥＧ＿ＴＳデコーダ１２で復号されて出力されたデジタルオーディオ信号Ａｄ１は、遅延回路２４に入力されて、所定量遅延される。なお、遅延回路２４には、ＭＰＥＧ＿ＰＳ  ＣＯＤＥＣ３０のＭＰＥＧ＿ＰＳでコーダ３１のデジタルオーディオ信号も入力される。
【００１６】
遅延回路２４は、スケーリングフィルタ１３においてビデオ信号がオーディオ信号に対して遅延する時間相当分、ＭＰＥＧ_ＴＳデコーダ１２からの音声信号Ａｄ１を遅延させて出力する。この遅延する時間は、例えば、予めスケーリングフィルタ１３による画像処理の処理時間を考慮して決定される。当該決定された時間情報はデータを記憶する記憶部（図示しない）に記憶される。ＣＰＵ（図示しない）は、当該時間情報を参照して前記音声信号Ａｄ１を遅延させて出力する。
【００１７】
遅延回路２４の出力信号は、Ｄ／Ａコンバータ２１においてアナログ信号に変換され、Ａ１端子から出力される。また、遅延回路２４の出力信号は、伝送フォーマット変換器２３にも入力され、ＩＥＣ６０９５８で規定されたデジタルインターフェースの伝送フォーマットに変換された後、光デジタルオーディオ出力としてＡＤ１端子から出力される。Ａ１端子あるいはＡＤ１端子から出力された信号のいずれか一方の信号が選択され、音声増幅器８０において出力される。なお、前記いずれか一方の信号を選択する手段は音声増幅器８０が有するように構成してもよい。
【００１８】
以上述べたように、本実施例においては、ＭＰＥＧ_ＴＳデコーダ１２から出力されたオーディオ信号Ａｄ１を遅延させるための遅延回路２４を設けて、スケーリングフィルタ１３でなされるスケーリング処理により生じるビデオ信号のオーディオ信号に対する遅延を、ＭＰＥＧ＿ＰＳデコーダで補正するのではなく、遅延回路２４で該オーディオ信号Ａｄ１を遅延させるよう補正し、リップシンクを合わせるようにしている。
【００１９】
これにより、スケーリングフィルタ１３による処理時間のために生じるリップシンクずれをなくすことができ、ユーザは違和感なく映像を楽しむことができる。
【００２０】
次に、デジタルチューナ１により受信された放送信号をＨＤＤ４３あるいはＤＶＤ４４に記録する場合について説明する。ここでは、ＨＤＤ４３あるいはＤＶＤ４４にＳＤ画像を記録する場合について述べる。
【００２１】
図１のＩＤＥ  Ｉ／Ｆ３４には、ＤＶＤ４３の読み出しおよび書込みを制御するＤＶＤコントローラ４１を介してＤＶＤ４３が接続される。また、ＨＤＤ４４を制御するＨＤＤコントローラ４２を介してＨＤＤ４４が接続される。Ａ／Ｄコンバータ３３には、アナログチューナ１０１からのビデオ／オーディオ信号とＶ２端子およびＡ１端子のビデオ／オーディオ信号とが、スイッチ５１で一方が選択されて入力される。  
デジタルチューナ１により受信された放送信号は、ＨＬデコーダ１０に入力される。ＨＬデコーダ１０内の処理は上述した処理と同様である。ビデオエンコーダ１７により出力されるビデオ信号とＤ／Ａコンバータ２１から出力されたオーディオ信号とは、スイッチ５１を介して、ＭＰＥＧ＿ＰＳ  ＣＯＤＥＣ３０に入力される。ＭＰＥＧ＿ＰＳ  ＣＯＤＥＣ３０に入力されたビデオ信号とオーディオ信号は、ＭＰＥＧ＿ＰＳ  ＣＯＤＥＣ３０のＡ／Ｄコンバータ３３によりアナログ信号からデジタル信号に変換される。そして、当該デジタル信号は、ＭＰＥＧ＿ＰＳエンコーダ３２、ＩＤＥ Ｉ／Ｆ３４を通じてＨＤＤ４４又はＤＶＤ４３にＰＳ形式で記録される。
【００２２】
これらの処理は、ユーザのリモコン等の入力部（図示しない）を介して入力された記録指示データを基に、ＣＰＵ（図示しない）により制御統括される。また、ＨＤＤ４４又はＤＶＤ４３に記録する際には、ＨＤＤコントローラ４２又はＤＶＤコントローラ４１により記録形式や記録速度等に関する記録制御がなされる。ここでは、ＨＤＤ４４とＤＶＤ４３に記録する際にはともにＰＳ形式で記録するよう制御される。
【００２３】
以上の処理により、ユーザは、デジタルチューナ１により受信された放送信号をＨＤＤ４３あるいはＤＶＤ４４に記録することができる。
次に、例えば、ＤＶＤ４３やＨＤＤ４４などに記録された番組や映画等を再生する場合について説明する。
【００２４】
この場合も、上述したリップシンク補正手段（図１の遅延回路２４）を利用する。具体的には、ＤＶＤ４３等に記録された番組データは、ＤＶＤコントローラ、ＩＤＥ  Ｉ／Ｆ３４を介してＭＰＥＧ_ＰＳデコーダ３１に入力される。ＭＰＥＧ_ＰＳデコーダ３１に入力された番組データのうちビデオ信号はスケーリングフィルタ１３に、オーディオ信号は遅延回路２４に対して出力する。
【００２５】
これにより、ＤＶＤに記録された番組等を再生する場合においても、スケーリングフィルタ１３による処理時間のために生じるリップシンクずれをなくすことができ、ユーザは違和感なく映像又は音声を楽しむことができる。また、放送される番組及び記録媒体に記録された番組等の再生において, リップシンクをあわせる手段として、補正回路２４を共用することができ、回路規模の低減にも貢献する。
【００２６】
なお、上述した例はＤＶＤに記録された番組を再生する場合に関する例であるが、これに限定するものでなく、ＨＤＤ（ハードディスクドライブ）やＣＤ−ＲＯＭ等のデジタル信号を記録可能な記録媒体に記録された番組等の再生であれば、何でもよい。
【００２７】
次に、例えば、ＨＤＤ４４からＤＶＤ４３にダビングする場合について説明する。この場合は、スケーリングフィルタ１３を通らない。従って、従来のように、ＭＰＥＧ＿ＰＳデコーダ３１自体で、スケーリングフィルタ１３で生じるビデオ信号の遅延補正を行おうとすると、ＨＤＤ４４からＤＶＤ４３にダビングする場合にはＭＰＥＧ＿ＰＳデコーダ３１による遅延補正のため、リップシンクがずれることになる。
【００２８】
しかし、図１で示したように、ＭＰＥＧ＿ＰＳデコーダ３１内に、スケーリングフィルタ１３によって生じる遅延に対する遅延補正機能を持たせないように構成する。換言すれば、ＨＬデコーダ１０（放送を再生）系とＭＰＥＧ＿ＰＳ  ＣＯＤＥＣ３０（記録媒体からの再生）系の両方ともにおいて、ＭＰＥＧ＿ＰＳデコーダ３１の外部に設けられた共通の遅延回路２４を介しリップシンクをあわせるように構成する。ＨＤＤ４４に記録された例えば番組情報等についてのダビング指示がなされると、ＨＤＤコントローラ４２でＨＤＤ４４から当該番組情報が読み出される。ＨＤＤ４４から読み出された番組情報等は、ＩＤＥ  Ｉ／Ｆ３４を介してＭＰＥＧ＿ＰＳデコーダ３１に入力され、復号化されてＭＰＥＧ＿ＰＳエンコーダ３２でエンコードされる。そして、ＭＰＥＧ＿ＰＳエンコーダ３２で符号化された当該番組情報がＤＶＤコントローラ４１を経由してＤＶＤ４３に記録される。
【００２９】
以上により、ＨＤＤ４４からＤＶＤ４３にダビングする場合においてもリップシンクの問題は生じない。その結果、ユーザは、ＨＤＤ４４からＤＶＤ４３にダビングされたデジタルビデオ/オーディオ信号を違和感なく視聴することができ、使い勝手が良い。
【００３０】
なお、上記例では、ＨＤＤ４４からＤＶＤ４３へのダビングについて説明した。しかし、ＤＶＤ４３からＨＤＤ４４へのダビングについても上記構成において同様の効果が得られる。
【００３１】
また、上記例では、ＨＤＤ４４に映像及び音声を含む番組情報が記録されている場面を想定したが、これに限定するものではない。例えば、歌手の楽曲や無声映画等のように、音声のみあるいは映像のみのデータがＨＤＤ４４に記録されていても構わない。
【００３２】
また、上記では、ＨＬデコーダ１０（放送を再生）系とＭＰＥＧ＿ＰＳ  ＣＯＤＥＣ３０（記録媒体からの再生）系の両方において、遅延回路２４を介してリップシンクをあわせるように構成したが、例えば、ＨＬデコーダ１０（放送を再生）系のオーディオ信号は遅延回路２４を通さず、スケーリングフィルタ１３によるリップシンクずれをＭＰＥＧ＿ＴＳでコーダ１２で補正するようにしてもよい。このような構成においても、例えば、ＨＤＤ４４からＤＶＤ４３へのダビング時のリップシンクずれをなくしながら、ＭＰＥＧ＿ＰＳ  ＣＯＤＥＣ３０（記録媒体再生）系での再生時のスケーリングフィルタ１３によるリップシンクずれをなくすことができ、ユーザは、違和感なく視聴できる。
【実施例２】
【００３３】
次に、第２の実施例について述べる。図２は、本実施例を示す記録再生装置の構成図である。第１の実施例との相異は、デジタルビデオ/オーディオ信号をアナログ変換せずにデジタル信号のまま録画することである。その他の構成については第１の実施例に同じである。
【００３４】
具体的には、スケーリングフィルタ１３を経たビデオ信号と遅延回路２４を経たオーディオ信号とがデジタル信号のまま直接スイッチ５２を介してＭＰＥＧ＿ＰＳ  ＣＯＤＥＣ３０に入力される。スイッチ５２には、Ａ／Ｄコンバータ１０２でアナログ信号がデジタル信号に変換されたアナログチューナ１０１の出力も入力されており、ＤＶＤ４３あるいはＨＤＤ４４にアナログチューナ出力を記録する。これにより、図１のＡ／Ｄコンバータ３３が必要でなくなり、高速処理や回路規模の低減に寄与することができる。
【００３５】
以上により、ユーザは当該録画されたデジタルビデオ/オーディオ信号を違和感なく視聴することができ、使い勝手が良い。  
なお、本発明は、上記に示された実施形態に限定されるものではなく、ここに開示された原理及び新しい特性は広範囲の技術的範囲を含むものである。例えば、上記で示した構成ブロック図、フローチャート、表示画面例等はあくまで実施形態を具体的に説明するために例示したものであり、開示された範囲に拘束されるものではない。
【図面の簡単な説明】
【００３６】
【図１】本発明による第１の実施例を示す記録再生装置の概略構成図。
【図２】第２の実施例を示す記録再生装置の概略構成図。
【符号の説明】
【００３７】
１  デジタルチューナ、１０  ＨＬデコーダ、１１  デマルチプレクサ、１２  ＭＰＥＧ＿ＴＳデコーダ、１３  スケーリングフィルタ、１４  ＯＳＤ回路、１５  ＯＳＤ回路、１６  ビデオエンコーダ、１７  ビデオエンコーダ、２１  Ｄ／Ａコンバータ、２３  伝送フォーマット変換器、２４  遅延回路、３０，３０'  ＭＰＥＧ＿ＰＳ  ＣＯＤＥＣ、３１  ＭＰＥＧ＿ＰＳデコーダ、３２  ＭＰＥＧ＿ＰＳエンコーダ、３３  Ａ／Ｄコンバータ、３４  ＩＤＥ  Ｉ／Ｆ、４１  ＤＶＤコントローラ、４２  ＨＤＤコントローラ、４３  ＤＶＤ、４４  ＨＤＤ、５１  スイッチ、５２  スイッチ、１０１  アナログチューナ、１０２  Ａ/Ｄコンバータ、１３０  ＭＰＥＧ＿ＰＳ  ＣＯＤＥＣ、１３１  ＭＰＥＧ＿ＰＳデコーダ、７０  画像表示部、  ８０  音声増幅器
【図１】
2006086552.tif 000003
【図２】
2006086552.tif 000004